(57)【要約】      （修正有）【課題】機械装置のカバーなどの薄い鉄板の穿設加工や他の穿設加工が困難な場所でも、電線管やキャプタイヤケーブル等を短時間で簡単に固定出来る配管取付用支持具を提供する。【解決手段】支持具は、管を支持する円弧状の凹溝１１を有すると共に磁性を有した支持具本体１と、支持具本体１の中央で且つ凹溝１１に対して直角方向に管を拘持するために配置した結束バンド２と、支持具本体１に取付けた管を覆う蓋体３とから構成する。また蓋体３には、管の上方から覆うＵ字状の溝３１を有し、支持具本体１の上面１ａと接する両側の下端面３ａには、係止用の穴を穿設し、且つ、支持具本体１の上面１ａには、係止用の穴に挿入して係止させる係止用の突起１３を設けた。【選択図】図１
0003230197.tif 000002
【実用新案登録請求の範囲】
【請求項１】
管を支持する円弧状の凹溝（11）を有すると共に磁性を有した支持具本体（１）と、該支持具本体（１）の中央で且つ前記凹溝（11）に対して直角方向に管を拘持するために配置した結束バンド（２）と、前記支持具本体（１）に取付けた管を覆う蓋体（３）とから構成したことを特徴とする配管取付用支持具。
【請求項２】
前記蓋体（３）には、管の上方から覆うＵ字状の溝（31）を有し、前記支持具本体（１）の前記上面（1a）と接する両側の下端面（3a）には、係止用の穴（32）を穿設し、且つ、前記支持具本体（１）の上面（1a）には、係止用の穴（32）に挿入して係止させる係止用の突起（13）を設けた請求項1記載の配管取付用支持具。
【請求項３】
前記蓋体（３）の前記溝（31）の中央で且つ直角方向に、管を拘持した結束バンド（２）が当接しないように逃げ部（33）を設け請求項２記載の配管取付用支持具。
【考案の詳細な説明】
【技術分野】
【０００１】
本考案は電線管やキャプタイヤケーブル等をマグネットで鉄部分に固定する配管取付用支持具に関する。
【背景技術】
【０００２】
従来の配管取付用支持具としては、例えば、特開２０００−１９３１４２号がある。この構造は、所定形状の配管の略半周を囲む形状の第１保持湾曲部と、この配管から離れる方向へ第１保持湾曲部から伸びる第１フランジ部とを有する第１バンドと、第１保持湾曲部での第１フランジ部反対側端部でヒンジ結合して前記配管の略半周を囲む形状の第２保持湾曲部と、第１フランジ部と対となる形状で第２保持湾曲部から伸びる第２フランジ部とを有する第２バンドとを備え、いずれか一方のフランジ部にはボルト貫通穴が備えられ、もう一方のフランジ部には一方のボルト貫通穴を貫通するボルトが固着され、ナット締めにより第１バンドと第２バンドとを配管に固定するものである。
【０００３】
又、実公昭６０−０１８７１４号は、上面にパイプを受ける略半円形断面の受け面より窪んだ座ぐり面が形成され、該座ぐり面に下面へ貫通した取付孔が形成されているとともに、両側面に受け面の長手方向と平行な下向き段部が形成され、該下向き段部の少なくとも一端に傾斜した食付面が形成された取付具と、前記パイプに上方から外嵌される略半円形断面の押さえ面を有する略逆Ｕ字形断面をなし、両端の内壁面の下部に取付金具の下向き段部と係合する上向き段部が形成された締付具と、からなるものである。
【先行技術文献】
【特許文献】
【０００４】
【特許文献１】実公昭６０−０１８７１４号公報
【特許文献２】特開２０００−１９３１４２号公報
【考案の概要】
【考案が解決しようとする課題】
【０００５】
しかしながら、特開２０００−１９３１４２号は特定サイズ専用のものであり、バンド内径よりも小さなパイプを保持すると、ガタが生じるため、ずれを生じ易いものになっていた。また配管取付用支持具を取付ける際には、取付穴をあけた後、締付部材を用いるため、手間が掛り、且つ、配管取付用支持具を取外した後、取付穴が残るので、支持場所によっては、取付穴が目立って見栄えが悪くなる恐れがあった。
又、実公昭６０−０１８７１４号は、特開２０００−１９３１４２号と同様な問題点があった。
【０００６】
しかも実公昭６０−０１８７１４号と特開２０００−１９３１４２号は、取付け位置の変更や仮設する時などに手間が掛っており、更に、薄板等に取付ける場合は、ネジ等で十分に固定する厚さ（長さ）が確保できず、その取付け作業は極めて難しいものであった。
【０００７】
本考案は機械装置のカバーなどの薄い鉄板の穿設加工や他の穿設加工が困難な場所でも、電線管やキャプタイヤケーブル等を短時間で簡単に固定出来る配管取付用支持具を提供することを目的とする。
【課題を解決するための手段】
【０００８】
本考案は上記現状に鑑みて成されたものであり、つまり、管を支持する円弧状の凹溝を有すると共に磁性を有した支持具本体と、該支持具本体の中央で且つ凹溝に対して直角方向に管を拘持するために配置した結束バンドと、支持具本体に取付けた管を覆う蓋体とから構成する。また前記蓋体には、管の上方から覆うＵ字状の溝を有し、支持具本体の上面と接する両側の下端面には、係止用の穴を穿設し、且つ、支持具本体の上面には、係止用の穴に挿入して係止させる係止用の突起を設けたものとしても良く、又、前記蓋体の溝の中央で且つ直角方向に、管を拘持した結束バンドが当接しないように逃げ部を設けたものとするのが好ましい。
【考案の効果】
【０００９】
請求項１のように管が支持される円弧状の凹溝（11）を有すると共に磁性を有した支持具本体（１）と、該支持具本体（１）の中央で且つ凹溝（11）に対して直角方向に管を拘持するために配置した結束バンド（２）と、支持具本体（１）に取付けた管を覆う蓋体（３）とから構成することにより、特定サイズ（拘持可能な最大径）よりも小さな管を保持する場合は、結束バンド（２）でしっかり固定できるため、従来の如きガタを生じてずれることがないものになる。しかも、本考案品を固定する際には、穿設作業が不要であり、たとえ機械装置のカバーなどの薄い鉄板の場所や他の穿設加工が困難である場所であっても、電線管やキャプタイヤケーブル等の固定及び取外しが短時間で簡単に行えるため、支持具本体（１）の支持場所の変更が極めて容易で、且つ、仮設も容易である。更に取外した後に取付穴が残らない。
【００１０】
請求項２のように蓋体（３）には、管の上方から覆うＵ字状の溝（31）を有し、支持具本体（１）の上面（1a）と接する両側の下端面（3a）には、係止用の穴（32）を穿設し、且つ、支持具本体（１）の上面（1a）には、係止用の穴（32）に挿入して係止させる係止用の突起（13）を設けることにより、蓋体（３）がしっかり取付けられるため、電線管やキャプタイヤケーブル等の支持場所がすっきりして見栄えの良いものとなる。
【００１１】
請求項３に示すよう蓋体（３）の溝（31）の中央で且つ直角方向に、管を拘持した結束バンド（２）が当接しないように逃げ部（33）を設けることにより、特定サイズ（拘持可能な最大径）を固定する際に安定して支持できる。
【図面の簡単な説明】
【００１２】
【図１】本考案の実施形態を示す斜視図である。
【図２】本実施形態の蓋体を裏面側から見た状態を示す斜視図である。
【考案を実施するための形態】
【００１３】
本考案の実施形態を図面に基づいて説明する。（１）は管等を支持する円弧状の凹溝（11）を有すると共に磁性を有した支持具本体であり、該支持具本体（１）の磁力の強さは、電線管やキャプタイヤケーブル等が支持できる強さを有している。前記磁力は磁石を支持具本体（１）に埋込んで得られる。その磁石としては、例えば、株式会社サンギョウサプライの製品を用い。その磁力としては約１５０００ガウス前後の大きさを確保するのが好ましい。また前記支持具本体（１）には、凹溝（11）に対して直角方向に後述する結束バンド（２）を挿通して配置させるためのバンド取付穴（12）が形成されており、その中間部にはのぞき穴（12a）が設けられている。又、前記支持具本体（１）の上面（1a）には係止用の突起（13）を複数設けていると共に、底面（1b）には、ドライバー等の工具が差し込まれて支持具本体（１）を取外す際に用いるＶ溝（14）が形成されている。
【００１４】
（２）は支持具本体（１）の中央で且つ凹溝（11）に対して直角方向に管等を拘持するために配置した結束バンドであり、該結束バンド（２）は市販品を用い、インシュロック或いはタイラップと呼ばれるものである。
【００１５】
（３）は支持具本体（１）に取付けた管等を覆う蓋体であり、該蓋体（３）には、管の上方から覆うＵ字状の溝（31）が形成されており、その溝（31）は、例えば、直径２６ｍｍの電線管やキャプタイヤケーブル等に対しては押えるが、それ以下の直径に対しては、覆うだけである。また前記支持具本体（１）の上面（1a）と接する両側の下端面（3a）には、突起（13）を挿入して係止させる係止用の穴（32）が複数設けられている。又、前記蓋体（３）の溝（31）の中央で且つ直角方向には、電線管等を拘持した結束バンド（２）が当接しないように逃げ部（33）を設けている。更に蓋体（３）の側部には、ドライバー等の工具を差し込んで取外すための角穴（34）が設けられている。又、前記蓋体（３）の上面（3b）に、会社名や宣伝表示用などの文字等を表示させて付加価値を付けることもできる。
【００１６】
次に本考案の使用方法について説明する。先ず始めに、予め決めた支持場所に、支持具本体（１）の底面（1b）を接触させる。すると、支持具本体（１）の磁力によって鉄板部へ強力に吸着する。次に電線管等を凹溝（11）に当接させて支持すると共に結束バンド（２）を電線管等の外周に沿って締付けると、電線管等が支持具本体（１）に拘持されて固定する。次に蓋体（３）を係止させる。この時、蓋体（３）の穴（32）を突起（13）に挿入して係止させることにより、支持された電線管等の支持場所が蓋体（３）によって覆われるため、本考案品がスッキリして、見た目が良いものとなる。
【００１７】
次に電線管等の支持場所を変更する場合について説明する。先ず蓋体（３）の角穴（34）にドライバー等の工具を差し込み、蓋体（３）を支持具本体（１）から外す。その後、結束バンド（２）を電線管等から外す。この時、結束バンド（２）の締付けを弛めて外すのが好ましいが、結束バンド（２）を切断させ、新たな結束バンド（２）を取付けても良い。次に、ドライバー等の工具をＶ溝（14）に差し込み、支持具本体（１）を支持場所の鉄板部から取外す。この場合には、支持場所に取付穴が穿設されていないので、略元の状態に戻される。
このように本考案品を用いれば、取付穴が残らず、且つ、支持場所（位置）の変更が極めて容易に行えると共に、本考案品の支持位置、或いは垂直面や天井面であって簡単に本考案品の固定が可能である。
【符号の説明】
【００１８】
１  支持具本体
1a  上面
11  凹溝
13  突起
２  結束バンド
３  蓋体
3a  下端面
31  溝
32  穴
33  逃げ部
【図１】
0003230197.tif 000003
【図２】
0003230197.tif 000004